(57)【要約】【課題】配線部の汎用性の高められた監視装置を提供する。【解決手段】直列接続された複数の電池セル２２０の電圧を監視する第１監視部１１と、監視部と複数の電池セルとを電気的に接続する第１配線部４１と、を有する監視装置１００であって、複数の電池セルが縦方向に並ぶことで、縦方向に複数の正極端子２２１と負極端子２２２とが交互に並ぶ第１電極端子群２１１ａと第２電極端子群２１１ｂとが横方向に並んでおり、第１配線部は、縦方向に並ぶ電池セルのうちの両端に位置する２つの電池セルの電極端子と電気的に接続される両端配線パターンと、並び順において偶数番目に位置する電池セルの電極端子に電気的に接続される偶数配線パターンと、を有する表配線部４３と裏配線部４４を備える。【選択図】図３
2018206684.tif 000002
【特許請求の範囲】
【請求項１】
電池セル（２２０）の電極端子（２２１，２２２）の形成された上端面（２２０ａ）を貫く高さ方向に直交する縦方向に複数の前記電池セルが電気的および機械的に直列接続された電池スタック（２１０，２１１，２１２）の有する複数の前記電池セルそれぞれの電圧を監視する監視部（１０，１１，１２）と、
前記監視部と複数の前記電池セルとを電気的に接続する配線部（４０，４１，４２）と、を有し、
前記電池セルは前記電極端子として前記高さ方向と前記縦方向に直交する横方向に並ぶ正極端子（２２１）と負極端子（２２２）を有し、
前記電池スタックでは複数の前記電池セルが前記縦方向に並ぶことで、前記縦方向に複数の前記正極端子と前記負極端子とが交互に並ぶ第１電極端子群（２１１ａ，２１２ａ）と、前記縦方向に複数の前記負極端子と前記正極端子とが交互に並ぶ第２電極端子群（２１１ｂ，２１２ｂ）と、が構成され、
前記第１電極端子群と前記第２電極端子群とが前記横方向に並んでおり、
前記配線部として第１配線部（４３）と第２配線部（４４）を有し、
前記第１配線部と前記第２配線部それぞれは、可撓性を有する可撓基板（４５）と、前記可撓基板に形成された配線パターン（４６）と、を有し、
前記第１配線部と前記第２配線部それぞれは、同一形状の前記可撓基板と同一形状の前記配線パターンを有し、
前記配線パターンは、前記縦方向に並ぶ複数の前記電池セルのうちの両端に位置する２つの前記電池セルの前記電極端子と電気的に接続される両端配線パターン（４６ａ）と、両端に位置する２つの前記電池セルを除く、並び順において偶数番目に位置する前記電池セルの前記電極端子に電気的に接続される偶数配線パターン（４６ｂ）および並び順において奇数番目に位置する前記電池セルの前記電極端子に電気的に接続される奇数配線パターン（４６ｃ）の少なくとも一方と、を有し、
前記第１配線部および前記第２配線部の一方の前記配線パターンを介して前記第１電極端子群と前記監視部とが電気的に接続され、
前記第１配線部および前記第２配線部の他方の前記配線パターンを介して前記第２電極端子群と前記監視部とが電気的に接続されている監視装置。
【請求項２】
前記第１配線部および前記第２配線部それぞれの前記配線パターンは、対応する前記電極端子と電気的に接続される複数の接続配線（６１）と、複数の前記接続配線と前記監視部とを電気的に接続する複数の連結配線（６０）と、を有し、
前記第１配線部と前記第２配線部は、前記電池セルの前記上端面と前記高さ方向で対向し、前記第１電極端子群と前記第２電極端子群との間で前記横方向に並び、
前記第１配線部および前記第２配線部の一方の前記配線パターンの前記接続配線は、前記横方向において前記第１配線部および前記第２配線部の一方の前記配線パターンの前記連結配線と前記第１電極端子群との間に位置し、
前記第１配線部および前記第２配線部の他方の前記配線パターンの前記接続配線は、前記横方向において前記第１配線部および前記第２配線部の他方の前記配線パターンの前記連結配線と前記第２電極端子群との間に位置し、
前記接続配線における前記連結配線との連結端と、前記連結端とは反対側の先端との間の長さは、前記横方向における前記連結端と対応する前記電極端子との離間距離よりも長い請求項１に記載の監視装置。
【請求項３】
前記第１配線部および前記第２配線部の一方の前記可撓基板の裏面（４５ｂ）が前記電池セルの前記上端面と前記高さ方向で対向し、
前記第１配線部および前記第２配線部の他方の前記可撓基板の表面（４５ａ）が前記電池セルの前記上端面と前記高さ方向で対向しており、
前記接続配線は前記可撓基板の外に突出している請求項２に記載の監視装置。
【請求項４】
前記第１配線部および前記第２配線部それぞれの前記配線パターンは、前記電極端子と電気的に接続するための予備接続配線（７１）と、前記予備接続配線と前記監視部とを電気的に接続する予備連結配線（７２）と、を有し、
前記予備接続配線は前記接続配線とともに前記縦方向に並んでいる請求項２または請求項３に記載の監視装置。
【請求項５】
前記第１配線部と前記第２配線部それぞれの前記可撓基板の表面（４５ａ）とその裏側の裏面（４５ｂ）それぞれに前記配線パターンが形成されている請求項１〜４いずれか１項に記載の監視装置。
【発明の詳細な説明】
【技術分野】
【０００１】
本発明は、電池セルの監視装置に関するものである。
【背景技術】
【０００２】
特許文献１に示されるように、正極の電極端子と負極の電極端子を有する複数の単電池が並べて配された単電池群と、単電池群に取り付けられた電池配線モジュールと、を備える電池モジュールが知られている。
【０００３】
電池配線モジュールは、電池モジュールの前方に取付けられる電池配線モジュールと、電池モジュールの後方に取付けられる電池配線モジュールと、を含む。この２つの電池配線モジュールそれぞれは、複数のバスバーと、フレキシブルプリント基板と、を含む。以下においては２つの電池配線モジュールを区別するために、電池モジュールの前方に取付けられる電池配線モジュールを第１電池配線モジュールと示す。電池モジュールの後方に取付けられる電池配線モジュールを第２電池配線モジュールと示す。
【０００４】
第１電池配線モジュールと第２電池配線モジュールそれぞれのバスバーは、異なる単電池の正極の電極端子と負極の電極端子同士を接続する。そのために各バスバーには異なる単電池の正極の電極端子と負極の電極端子が挿入される２個の端子挿通孔が形成されている。
【０００５】
ただし、第２電池配線モジュールの両端の２つのバスバーには、１個の端子挿通孔が形成されている。両端の２つのバスバーのうちの一方は正極の電極端子に接続される。この正極の電極端子からは各単電池の電圧を合計した正電圧が出力される。また両端の２つのバスバーのうちの他方は負極の電極端子に接続される。この負極の電極端子はグランド電位である。
【０００６】
第１電池配線モジュールと第２電池配線モジュールそれぞれのフレキシブルプリント基板は、各単電池の電圧を検知する複数の電圧検知線を含んでいる。これら複数の電圧検知線はバスバーに接続されている。
【先行技術文献】
【特許文献】
【０００７】
【特許文献１】特開２０１７−２７８３１号公報
【発明の概要】
【発明が解決しようとする課題】
【０００８】
上記したように第１電池配線モジュールと第２電池配線モジュールとではバスバーの形状が異なる。それにともない第１電池配線モジュールと第２電池配線モジュールのフレキシブルプリント基板の電圧検知線は形状が異なっている。したがって第１電池配線モジュールを第２電池配線モジュールの代わりに用いることはできない。逆に言えば、第２電池配線モジュールを第１電池配線モジュールの代わりに用いることはできない。このように電池配線モジュール（配線部）は汎用性の低い構成となっている。
【０００９】
そこで本発明は、配線部の汎用性の高められた監視装置を提供することを目的とする。
【課題を解決するための手段】
【００１０】
開示された発明の１つは、電池セル（２２０）の電極端子（２２１，２２２）の形成された上端面（２２０ａ）を貫く高さ方向に直交する縦方向に複数の電池セルが電気的および機械的に直列接続された電池スタック（２１０，２１１，２１２）の有する複数の電池セルそれぞれの電圧を監視する監視部（１０，１１，１２）と、
監視部と複数の電池セルとを電気的に接続する配線部（４０，４１，４２）と、を有し、
電池セルは電極端子として高さ方向と縦方向に直交する横方向に並ぶ正極端子（２２１）と負極端子（２２２）を有し、
電池スタックでは複数の電池セルが縦方向に並ぶことで、縦方向に複数の正極端子と負極端子とが交互に並ぶ第１電極端子群（２１１ａ，２１２ａ）と、縦方向に複数の負極端子と正極端子とが交互に並ぶ第２電極端子群（２１１ｂ，２１２ｂ）と、が構成され、
第１電極端子群と第２電極端子群とが横方向に並んでおり、
配線部として第１配線部（４３）と第２配線部（４４）を有し、
第１配線部と第２配線部それぞれは、可撓性を有する可撓基板（４５）と、可撓基板に形成された配線パターン（４６）と、を有し、
第１配線部と第２配線部それぞれは、同一形状の可撓基板と同一形状の配線パターンを有し、
配線パターンは、縦方向に並ぶ複数の電池セルのうちの両端に位置する２つの電池セルの電極端子と電気的に接続される両端配線パターン（４６ａ）と、両端に位置する２つの電池セルを除く、並び順において偶数番目に位置する電池セルの電極端子に電気的に接続される偶数配線パターン（４６ｂ）および並び順において奇数番目に位置する電池セルの電極端子に電気的に接続される奇数配線パターン（４６ｃ）の少なくとも一方と、を有し、
第１配線部および第２配線部の一方の配線パターンを介して第１電極端子群と監視部とが電気的に接続され、
第１配線部および第２配線部の他方の配線パターンを介して第２電極端子群と監視部とが電気的に接続されている。
【００１１】
このように第１電極端子群（２１１ａ，２１２ａ）と第２電極端子群（２１１ｂ，２１２ｂ）とは正極端子（２２１）と負極端子（２２２）の並びが異なる。しかしながら第１配線部（４３）と第２配線部（４４）それぞれは同一の配線パターン（４６）を有する。この配線パターン（４６）は、両端配線パターン（４６ａ）と、偶数配線パターン（４６ｂ）および奇数配線パターン（４６ｃ）の少なくとも一方と、を有する。
【００１２】
偶数配線パターン（４６ｂ）によれば、偶数番目の電池セル（２２０）における、第１電極端子群（２１１ａ，２１２ａ）の正極端子（２２１）と負極端子（２２２）の一方を監視部（１０，１１，１２）に電気的に接続することができる。同じく偶数番目の電池セル（２２０）における、第２電極端子群（２１１ｂ，２１２ｂ）の正極端子（２２１）と負極端子（２２２）の他方を監視部（１０，１１，１２）に電気的に接続することができる。そして両端配線パターン（４６ａ）により、第１電極端子群（２１１ａ，２１２ａ）と第２電極端子群（２１１ｂ，２１２ｂ）それぞれの両端の電池セル（２２０）の電極を監視部（１０，１１，１２）に電気的に接続することができる。この結果、全ての電池セル（２２０）の電圧を検出することができる。
【００１３】
奇数配線パターン（４６ｃ）によれば、奇数番目の電池セル（２２０）における、第１電極端子群（２１１ａ，２１２ａ）の正極端子（２２１）と負極端子（２２２）の他方を監視部（１０，１１，１２）に電気的に接続することができる。同じく奇数番目の電池セル（２２０）における、第２電極端子群（２１１ｂ，２１２ｂ）の正極端子（２２１）と負極端子（２２２）の一方を監視部（１０，１１，１２）に電気的に接続することができる。そして両端配線パターン（４６ａ）により、第１電極端子群（２１１ａ，２１２ａ）と第２電極端子群（２１１ｂ，２１２ｂ）それぞれの両端の電池セル（２２０）の電極を監視部（１０，１１，１２）に電気的に接続することができる。この結果、全ての電池セル（２２０）の電圧を検出することができる。
【００１４】
第１配線部（４３）と第２配線部（４４）は同一形状の可撓基板（４５）と配線パターン（４６）を有する。そして、配線パターン（４６）は、両端配線パターン（４６ａ）と、偶数配線パターン（４６ｂ）および奇数配線パターン（４６ｃ）の少なくとも一方と、を有する。そのため、第１配線部（４３）と第２配線部（４４）の一方を介して第１電極端子群（２１１ａ，２１２ａ）と監視部（１０，１１，１２）とを電気的に接続する。また第１配線部（４３）と第２配線部（４４）の他方を介して第２電極端子群（２１１ｂ，２１２ｂ）と監視部（１０，１１，１２）とを電気的に接続する。こうすることで全ての電池セル（２２０）の電圧を検出することができる。
【００１５】
以上に示したように第１配線部（４３）と第２配線部（４４）のいずれによっても、第１電極端子群（２１１ａ，２１２ａ）と監視部（１０，１１，１２）、若しくは、第２電極端子群（２１１ｂ，２１２ｂ）と監視部（１０，１１，１２）を電気的に接続することができる。このように第１配線部（４３）を第２配線部（４４）の代わりに用いることができる。第２配線部（４４）を第１配線部（４３）の代わりに用いることができる。本発明は配線部（４０）の汎用性の高い構成となっている。
【００１６】
電池スタック（２１０，２１１，２１２）は縦方向に複数の電池セル（２２０）が直列接続されて成るが、その並びは製造バラツキのために多少乱れる虞がある。その結果、第１電極端子群（２１１ａ，２１２ａ）と第２電極端子群（２１１ｂ，２１２ｂ）それぞれにおける正極端子（２２１）と負極端子（２２２）の並びも多少乱れる虞がある。これに対して、配線パターン（４６）の形成される可撓基板（４５）は可撓性を有する。そのために正極端子（２２１）と負極端子（２２２）の並びに乱れが生じたとしても、可撓基板（４５）をそれに応じて変形させることで配線パターン（４６）と電極端子（２２１，２２２）とを電気的に接続することができる。
【００１７】
なお、特許請求の範囲に記載の請求項、および、課題を解決するための手段それぞれに記載の要素に括弧付きで符号をつけている。この括弧付きの符号は実施形態に記載の各構成要素との対応関係を簡易的に示すためのものであり、実施形態に記載の要素そのものを必ずしも示しているわけではない。括弧付きの符号の記載は、いたずらに特許請求の範囲を狭めるものではない。
【図面の簡単な説明】
【００１８】
【図１】電池パックを説明するための概略図である。
【図２】電池パックの回路図である。
【図３】電池パックの部分斜視図である。
【図４】図１に示すＩＶ−ＩＶ線に沿う断面図である。
【図５】配線パターンの端部を説明するための断面図である。
【図６】第１配線部の電位分布を説明するためのグラフ図である。
【図７】第２配線部の電位分布を説明するためのグラフ図である。
【図８】配線部の変形例を説明するための断面図である。
【図９】奇数配線パターンを説明するための上面図である。
【図１０】電池パックの変形例を示す概略図である。
【図１１】固定電極を説明するための上面図である。
【図１２】電気的な接続に不要な接続配線の固定を示す上面図である。
【図１３】配線部の変形例を説明するための上面図である。
【図１４】監視部の変形例を説明するための回路図である。
【発明を実施するための形態】
【００１９】
以下、本発明をハイブリッド自動車に適用した場合の実施形態を図に基づいて説明する。
【００２０】
（第１実施形態）
図１〜図７に基づいて本実施形態にかかる電池パックを説明する。以下においては互いに直交の関係にある３方向を、横方向、縦方向、および、高さ方向と示す。本実施形態では横方向はハイブリッド自動車の進退方向に沿っている。縦方向はハイブリッド自動車の左右方向に沿っている。高さ方向はハイブリッド自動車の天地方向に沿っている。
【００２１】
（電池パックの概要）
電池パック４００は、図１に示すハイブリッド自動車の電気負荷５００に電力供給する機能を果たす。この電気負荷５００には、動力供給源および発電源としての機能を果たすモータジェネレータが含まれている。例えばモータジェネレータが力行する場合、電池パック４００は放電してモータジェネレータに電力供給を行う。モータジェネレータが発電する場合、電池パック４００は発電によって生じた発電電力を充電する。
【００２２】
電池パック４００は電池ＥＣＵ３００を有する。この電池ＥＣＵ３００はハイブリッド自動車に搭載された各種ＥＣＵ（車載ＥＣＵ）と電気的に接続される。電池ＥＣＵ３００と車載ＥＣＵは相互に信号を送受信し、ハイブリッド自動車を協調制御する。
【００２３】
電池パック４００は電池モジュール２００を有する。電池モジュール２００は複数の電池セル２２０が電気的に直列接続された電池スタック２１０を有する。
【００２４】
電池パック４００は監視装置１００を有する。監視装置１００は電池スタック２１０を構成する各電池セル２２０の電圧を監視する。
【００２５】
以上に示すように電池パック４００は、監視装置１００、電池モジュール２００、および、電池ＥＣＵ３００を有する。この他に電池パック４００は電池モジュール２００を冷却する送風ファンを有してもよい。この送風ファンの駆動は電池ＥＣＵ３００によって制御される。
【００２６】
電池パック４００はハイブリッド自動車の例えば座席下の配置空間に設けられる。この配置空間は、前部座席下よりも後部座席下のほうが広い。本実施形態の電池パック４００は後部座席下の配置空間に設けられる。以下、電池モジュール２００と監視装置１００を説明する。
【００２７】
（電池モジュールの概要）
図１および図２に示すように、電池モジュール２００は電池スタック２１０として第１電池スタック２１１と第２電池スタック２１２を有する。また図示しないが電池モジュール２００は第１電池スタック２１１と第２電池スタック２１２を収納する筐体を有する。この筐体はアルミダイカストで形成されている。筐体は高さ方向に開口するとともに底を有する箱形状を成している。筐体は横方向で２つに分けられる第１収納空間と第２収納空間とを有する。第１収納空間に第１電池スタック２１１が設けられる。第２収納空間に第２電池スタック２１２が設けられる。これにより第１電池スタック２１１と第２電池スタック２１２は横方向に並んでいる。なお筐体の開口は、蓋によって覆われる。筐体の内部には、風の流通する流通経路が構成されている。筐体と蓋の少なくとも一方には、外部雰囲気と連通経路とを連通するための連通孔が構成されている。
【００２８】
第１電池スタック２１１と第２電池スタック２１２それぞれは複数の電池セル２２０を有する。これら複数の電池セル２２０は縦方向に並んでいる。複数の電池セル２２０は電気的および機械的に直列接続されている。そして第１電池スタック２１１と第２電池スタック２１２は電気的に直列接続されている。そのため電池モジュール２００の出力電圧は、第１電池スタック２１１と第２電池スタック２１２それぞれの有する複数の電池セル２２０の出力電圧を総和した電圧になっている。
【００２９】
（監視装置の概要）
図１に示すように監視装置１００は、複数の電池セル２２０それぞれの電圧を監視する監視部１０、および、監視部１０と複数の電池セル２２０それぞれとを電気的に接続する配線部４０を有する。監視部１０と配線部４０それぞれは電池モジュール２００に設けられる。具体的に言えば、監視部１０は電池スタック２１０の上方、若しくは、側方に設けられる。配線部４０は電池スタック２１０の上方に設けられる。
【００３０】
監視装置１００は監視部１０として第１監視部１１と第２監視部１２を有する。第１監視部１１は第１電池スタック２１１に対応している。第２監視部１２は第２電池スタック２１２に対応している。
【００３１】
監視装置１００は配線部４０として第１配線部４１と第２配線部４２を有する。第１配線部４１は第１電池スタック２１１に対応している。第２配線部４２は第２電池スタック２１２に対応している。
【００３２】
第１配線部４１は、第１電池スタック２１１の有する複数の電池セル２２０の正極端子２２１と負極端子２２２の少なくとも一方を第１監視部１１に接続する。第２配線部４２は、第２電池スタック２１２の有する複数の電池セル２２０の正極端子２２１と負極端子２２２の少なくとも一方を第２監視部１２に接続する。
【００３３】
（電池スタックの構成）
次に、図１〜図３に基づいて第１電池スタック２１１と第２電池スタック２１２を詳説する。上記したように第１電池スタック２１１と第２電池スタック２１２それぞれは複数の電池セル２２０を有する。電池セル２２０は四角柱形状を成す。そのために電池セル２２０は６面を有する。
【００３４】
図３に示すように電池セル２２０は高さ方向に面する上端面２２０ａと下端面２２０ｂを有する。電池セル２２０は横方向に面する第１側面２２０ｃと第２側面２２０ｄを有する。電池セル２２０は縦方向に面する第１主面２２０ｅと第２主面２２０ｆを有する。これら６面のうち第１主面２２０ｅと第２主面２２０ｆは他面よりも面積が大きくなっている。
【００３５】
電池セル２２０は二次電池である。具体的には電池セル２２０はリチウムイオン電池である。リチウムイオン電池は化学反応によって起電圧を生成する。起電圧の生成により電池セル２２０に電流が流れる。これにより電池セル２２０は発熱する。電池セル２２０は膨張する。
【００３６】
上記したように電池セル２２０の第１主面２２０ｅと第２主面２２０ｆは他面よりも面積が大きくなっている。そのために電池セル２２０では第１主面２２０ｅと第２主面２２０ｆとが膨張しやすくなっている。これにより電池セル２２０は縦方向に膨張する。すなわち電池セル２２０は複数の電池セル２２０の並ぶ方向に膨張する。
【００３７】
第１電池スタック２１１と第２電池スタック２１２それぞれは図示しない拘束具を有する。この拘束具により、複数の電池セル２２０は機械的に縦方向に直列接続されている。またこの拘束具により複数の電池セル２２０それぞれの膨張による第１電池スタック２１１と第２電池スタック２１２それぞれの体格の増大が抑制されている。なお、隣接する電池セル２２０の間には空隙が構成されている。この空隙を空気が通ることで各電池セル２２０の放熱が促される。
【００３８】
電池セル２２０の上端面２２０ａに正極端子２２１と負極端子２２２が形成されている。正極端子２２１と負極端子２２２は横方向に並んでいる。正極端子２２１は第１側面２２０ｃ側に位置する。負極端子２２２は第２側面２２０ｄ側に位置する。正極端子２２１と負極端子２２２が電極端子に相当する。
【００３９】
次に、第１電池スタック２１１と第２電池スタック２１２それぞれの電池セル２２０の並びを詳説する。図１に示すように第１電池スタック２１１と第２電池スタック２１２それぞれは電池ＥＣＵ３００と縦方向に並んでいる。説明の都合上、以下においては複数の電池セル２２０それぞれに、縦方向において電池ＥＣＵ３００から離れるにしたがって数が大きくなる番号を付与する。もちろんではあるがこの番号に特別な意味はない。例えば縦方向において電池ＥＣＵ３００に近づくにしたがって数が大きくなる番号を複数の電池セル２２０それぞれに付与してもよい。
【００４０】
第１電池スタック２１１と第２電池スタック２１２は偶数個の電池セル２２０を同じ数だけ有する。すなわち、Ｎを１以上の自然数とすると、第１電池スタック２１１と第２電池スタック２１２は２Ｎ個の電池セル２２０を有する。第１番目の電池セル２２０が縦方向において最も電池ＥＣＵ３００の近くに位置している。第２Ｎ番目の電池セル２２０が縦方向において最も電池ＥＣＵ３００から離れている。
【００４１】
図１および図３に示すように、第１電池スタック２１１と第２電池スタック２１２それぞれの第１番目の電池セル２２０の第２主面２２０ｆは、電池ＥＣＵ３００側を向いている。そして第１電池スタック２１１の第１番目の電池セル２２０の第２側面２２０ｄは第２電池スタック２１２側を向いている。第２電池スタック２１２の第１番目の電池セル２２０の第１側面２２０ｃは第１電池スタック２１１側を向いている。
【００４２】
したがって第１電池スタック２１１の第１番目の電池セル２２０の負極端子２２２は第２電池スタック２１２側に位置している。第１電池スタック２１１の第１番目の電池セル２２０の正極端子２２１は第２電池スタック２１２から横方向に離れて位置している。第２電池スタック２１２の第１番目の電池セル２２０の正極端子２２１は第１電池スタック２１１側に位置している。第２電池スタック２１２の第１番目の電池セル２２０の負極端子２２２は第１電池スタック２１１から横方向に離れて位置している。
【００４３】
図３に示すように、第２番目の電池セル２２０の第１主面２２０ｅは、第１番目の電池セル２２０の第１主面２２０ｅと縦方向で対向している。このため、第１番目の電池セル２２０の正極端子２２１と第２番目の電池セル２２０の負極端子２２２とが縦方向に並んでいる。第１番目の電池セル２２０の負極端子２２２と第２番目の電池セル２２０の正極端子２２１とが縦方向に並んでいる。
【００４４】
以下、同様にして縦方向で隣接して並ぶ２つの電池セル２２０は互いに第１主面２２０ｅ同士、第２主面２２０ｆ同士で対向している。これにより隣接して並ぶ２つの電池セル２２０のうちの一方の正極端子２２１と他方の負極端子２２２とが縦方向に並んでいる。この結果、第１電池スタック２１１と第２電池スタック２１２それぞれでは、正極端子２２１と負極端子２２２とが縦方向で交互に並んでいる。
【００４５】
第１電池スタック２１１では、縦方向に２Ｎ個の正極端子２２１と負極端子２２２とが交互に並ぶ第１電極端子群２１１ａが構成されている。縦方向に２Ｎ個の負極端子２２２と正極端子２２１とが交互に並ぶ第２電極端子群２１１ｂが構成されている。第１電極端子群２１１ａと第２電極端子群２１１ｂとでは正極端子２２１と負極端子２２２の並びが反対である。この第１電極端子群２１１ａと第２電極端子群２１１ｂとが横方向で並んでいる。
【００４６】
同様にして、第２電池スタック２１２では、縦方向に２Ｎ個の正極端子２２１と負極端子２２２とが交互に並ぶ第３電極端子群２１２ａが構成されている。縦方向に２Ｎ個の負極端子２２２と正極端子２２１とが交互に並ぶ第４電極端子群２１２ｂが構成されている。第３電極端子群２１２ａと第４電極端子群２１２ｂとでは正極端子２２１と負極端子２２２の並びが反対である。この第３電極端子群２１２ａと第４電極端子群２１２ｂとが横方向で並んでいる。第１電極端子群２１１ａと第３電極端子群２１２ａが特許請求の範囲に記載の第１電極端子群に相当する。第２電極端子群２１１ｂと第４電極端子群２１２ｂが特許請求の範囲に記載の第２電極端子群に相当する。
【００４７】
上記した各電極端子群を構成する電極端子のうち、縦方向に並んで隣り合う１つの正極端子２２１と１つの負極端子２２２とが縦方向に延びる第１直列端子２２３を介して電気的に接続されている。これにより第１電池スタック２１１を構成する複数の電池セル２２０が電気的に直列接続されている。第２電池スタック２１２を構成する複数の電池セル２２０が電気的に直列接続されている。
【００４８】
ただし、第１電池スタック２１１と第２電池スタック２１２とでは接続関係が反対になっている。第１電池スタック２１１では、第１番目の電池セル２２０の正極端子２２１と第２番目の電池セル２２０の負極端子２２２とが第１直列端子２２３を介して電気的に接続されている。第２電池スタック２１２では、第１番目の電池セル２２０の負極端子２２２と第２番目の電池セル２２０の正極端子２２１とが第１直列端子２２３を介して電気的に接続されている。以下、第１直列端子２２３を介した第２番目以降の電池セル２２０同士の電気的な接続も第１電池スタック２１１と第２電池スタック２１２とでは反対になっている。
【００４９】
第１電池スタック２１１と第２電池スタック２１２それぞれの最も電池ＥＣＵ３００から離れた第２Ｎ番目の電池セル２２０の第１主面２２０ｅは、その前の第２Ｎ−１番目の電池セル２２０の第１主面２２０ｅと縦方向で対向している。これにより第１電池スタック２１１の第２Ｎ番目の電池セル２２０の正極端子２２１は第２電池スタック２１２側に位置している。第２電池スタック２１２の第２Ｎ番目の電池セル２２０の負極端子２２２は第１電池スタック２１１側に位置している。この第１電池スタック２１１の第２Ｎ番目の電池セル２２０の正極端子２２１と第２電池スタック２１２の第２Ｎ番目の電池セル２２０の負極端子２２２とが、横方向に延びる第２直列端子２２４を介して電気的に接続されている。これにより第１電池スタック２１１と第２電池スタック２１２とが電気的に直列接続されている。なお、第１電池スタック２１１の第２Ｎ番目の電池セル２２０の正極端子２２１と第２電池スタック２１２の第２Ｎ番目の電池セル２２０の負極端子２２２とは、第２直列端子２２４ではなくワイヤによって接続されてもよい。
【００５０】
上記したように第１電池スタック２１１の第１番目の電池セル２２０の負極端子２２２は第２電池スタック２１２側に位置している。第２電池スタック２１２の第１番目の電池セル２２０の正極端子２２１は第１電池スタック２１１側に位置している。この第１電池スタック２１１の第１番目の電池セル２２０の負極端子２２２がグランド電位（最低電位）になる。第２電池スタック２１２の第１番目の電池セル２２０の正極端子２２１が、各電池セル２２０の出力を総和した電位（最高電位）になる。この最低電位の負極端子２２２と最高電位の正極端子２２１がバスバー５０１を介して電気負荷５００に接続される。この結果、最低電位と最高電位との電位差が、電池モジュール２００の出力電圧として電気負荷５００に出力される。なお、最低電位の負極端子２２２と最高電位の正極端子２２１は、ワイヤハーネスを介して電気負荷５００と接続されてもよい。
【００５１】
（監視装置の構成）
次に、図１〜図７に基づいて監視装置１００を詳説する。上記したように監視装置１００は第１電池スタック２１１に対応する第１監視部１１と第１配線部４１を有する。監視装置１００は第２電池スタック２１２に対応する第２監視部１２と第２配線部４２を有する。
【００５２】
図１に示すように第１監視部１１と第２監視部１２それぞれはプリント基板１３、電子素子１４、および、監視ＩＣチップ１５を有する。プリント基板１３に電子素子１４と監視ＩＣチップ１５が搭載されている。電子素子１４と監視ＩＣチップ１５はプリント基板１３の基板配線１６を介して電気的に接続されている。
【００５３】
図１に示すように第１監視部１１のプリント基板１３に第１配線部４１が接続される。第２監視部１２のプリント基板１３に第２配線部４２が接続される。これにより、第１電池スタック２１１と第１監視部１１とが第１配線部４１を介して電気的に接続されている。第２電池スタック２１２と第２監視部１２とが第２配線部４２を介して電気的に接続されている。なお、第１監視部１１と第２監視部１２それぞれのプリント基板１３には図示しないコネクタが設けられている。このコネクタにワイヤ３０１が接続される。このワイヤ３０１が電池ＥＣＵ３００と接続される。これにより第１監視部１１と第２監視部１２それぞれが電池ＥＣＵ３００と接続されている。
【００５４】
第１配線部４１と第２配線部４２それぞれは表配線部４３と裏配線部４４を有する。表配線部４３と裏配線部４４それぞれは、可撓性を有するフレキシブル基板４５、および、フレキシブル基板４５に形成された配線パターン４６を有する。図４に示すように配線パターン４６はフレキシブル基板４５の表面４５ａに形成されている。そして配線パターン４６は被覆樹脂４７で覆われている。ただし、図５に示すように配線パターン４６の端部はフレキシブル基板４５および被覆樹脂４７それぞれから外に突出して露出している。この配線パターン４６の端部が対応する電池セル２２０の電極端子と溶接などによって機械的および電気的に接続される。フレキシブル基板４５が可撓基板に相当する。
【００５５】
なお、配線パターン４６の端部は対応する電極端子に直に接続されなくともよい。配線パターン４６の端部は対応する電極端子と電気的に接続された第１直列端子２２３や第２直列端子２２４に直に接続されてもよい。これによっても配線パターン４６は対応する電極端子と電気的に接続される。
【００５６】
表配線部４３と裏配線部４４とは同一形状である。したがって表配線部４３の有するフレキシブル基板４５と配線パターン４６は、裏配線部４４の有するフレキシブル基板４５と配線パターン４６と同一である。表配線部４３と裏配線部４４が特許請求の範囲に記載の第１配線部と第２配線部に相当する。
【００５７】
表配線部４３と裏配線部４４とは電池スタック２１０への搭載態様が異なる。表配線部４３は、フレキシブル基板４５の裏面４５ｂが電池セル２２０の上端面２２０ａに対向する態様で電池スタック２１０に搭載される。裏配線部４４は、フレキシブル基板４５の表面４５ａが上端面２２０ａに対向する態様で電池スタック２１０に搭載される。このように表配線部４３と裏配線部４４とは電池スタック２１０への配置の表裏が互いに反転している。
【００５８】
上記したように配線パターン４６の端部はフレキシブル基板４５および被覆樹脂４７それぞれから外に突出している。したがってフレキシブル基板４５の表裏を反転させたとしても、配線パターン４６の端部と電極端子との間にはフレキシブル基板４５や被覆樹脂４７が位置しなくなっている。
【００５９】
第１電池スタック２１１の上方において、第１配線部４１の表配線部４３と裏配線部４４は第１電極端子群２１１ａと第２電極端子群２１１ｂとの間に設けられる。表配線部４３は第１電極端子群２１１ａ側に設けられる。裏配線部４４は第２電極端子群２１１ｂ側に設けられる。表配線部４３が第１電極端子群２１１ａと電気的に接続される。裏配線部４４が第２電極端子群２１１ｂと電気的に接続される。
【００６０】
第２電池スタック２１２の上方において、第２配線部４２の表配線部４３と裏配線部４４は第３電極端子群２１２ａと第４電極端子群２１２ｂとの間に設けられる。表配線部４３は第３電極端子群２１２ａ側に設けられる。裏配線部４４は第４電極端子群２１２ｂ側に設けられる。表配線部４３が第３電極端子群２１２ａと電気的に接続される。裏配線部４４が第４電極端子群２１２ｂと電気的に接続される。
【００６１】
表配線部４３と裏配線部４４それぞれのフレキシブル基板４５に形成された配線パターン４６は、以下に示す配線を有する。すなわち配線パターン４６は、縦方向に並ぶ２Ｎ個の電池セル２２０のうちの両端に位置する第１番目と第２Ｎ番目の電池セル２２０の電極端子と接続される両端配線パターン４６ａを有する。また配線パターン４６は、両端に位置する２つの電池セル２２０を除く、並び順において偶数番目に位置する電池セル２２０の電極端子と接続される偶数配線パターン４６ｂを有する。両端配線パターン４６ａと偶数配線パターン４６ｂそれぞれの有する配線の合計はＮ＋１本である。
【００６２】
上記したように第１電極端子群２１１ａと第２電極端子群２１１ｂとでは正極端子２２１と負極端子２２２の並びが異なる。そのために表配線部４３の両端配線パターン４６ａに接続される電極端子と、裏配線部４４の両端配線パターン４６ａに接続される電極端子とは極性が互いに異なる。同様にして表配線部４３の偶数配線パターン４６ｂに接続される電極端子と、裏配線部４４の偶数配線パターン４６ｂに接続される電極端子とは極性が互いに異なる。
【００６３】
具体的に言えば、第１電極端子群２１１ａに接続される表配線部４３の両端配線パターン４６ａは、第１番目の電池セル２２０の正極端子２２１に接続され、第２Ｎ番目の電池セル２２０の負極端子２２２に接続される。これに対して、第２電極端子群２１１ｂに接続される裏配線部４４の両端配線パターン４６ａは、第１番目の電池セル２２０の負極端子２２２に接続され、第２Ｎ番目の電池セル２２０の正極端子２２１に接続される。
【００６４】
第１電極端子群２１１ａに接続される表配線部４３の偶数配線パターン４６ｂは、端を除く偶数番目に位置する電池セル２２０の負極端子２２２に接続される。これに対して、第２電極端子群２１１ｂに接続される裏配線部４４の偶数配線パターン４６ｂは、端を除く偶数番目に位置する電池セル２２０の正極端子２２１に接続される。
【００６５】
以上に示したように、第１配線部４１の表配線部４３と裏配線部４４それぞれの配線パターン４６は、縦方向に並ぶ２つの電池セル２２０の正極端子２２１と負極端子２２２の少なくとも一方と接続される。第１電池スタック２１１を構成する全ての電池セル２２０の電圧が第１配線部４１によって検出可能となっている。
【００６６】
第２電池スタック２１２と第１電池スタック２１１とは構造が同一である。そして第２配線部４２の第２電池スタック２１２への接続や配置は、第１配線部４１の第１電池スタック２１１への接続や配置と同様である。そのため、第２電池スタック２１２を構成する全ての電池セル２２０の電圧が第２配線部４２によって検出可能となっている。
【００６７】
本実施形態では、上記の自然数Ｎは５である。そのために第１電池スタック２１１と第２電池スタック２１２はそれぞれ１０個の電池セル２２０を有する。両端配線パターン４６ａと偶数配線パターン４６ｂそれぞれの有する配線の合計は６本である。この６本の配線は、図１および図４に示すように横方向に並んでいる。以下においてはこの６本の配線を、電極端子の形成された電池セル２２０の端からその中央に向かうにしたがって数の増大する番号を付して、第１配線５１、第２配線５２、第３配線５３、第４配線５４、第５配線５５、および、第６配線５６と示す。第１番目の第１配線５１と最終番目の第６配線５６が両端配線パターン４６ａに含まれる。残りの第２配線５２、第３配線５３、第４配線５４、および、第５配線５５が偶数配線パターン４６ｂに含まれる。
【００６８】
この第１配線５１、第２配線５２、第３配線５３、第４配線５４、第５配線５５、および、第６配線５６それぞれは、縦方向に延びる連結配線６０と、電池セル２２０の中央側から端側へと向かって横方向に延びる接続配線６１と、を有する。連結配線６０の一端は監視部１０と電気的に接続される。連結配線６０の他端に接続配線６１の一端が一体的に連結されている。接続配線６１の他端が対応する電極端子と電気的に接続される。図５に示すように接続配線６１の他端はフレキシブル基板４５と被覆樹脂４７から外に飛び出している。この接続配線６１の他端がフレキシブル基板４５と被覆樹脂４７から外へと突出した配線パターン４６の端部に相当する。
【００６９】
図１に示すようにフレキシブル基板４５は縦方向に長い矩形となっている。このフレキシブル基板４５の縦方向に沿う辺から対応する電極端子群へと向かって、接続配線６１の他端が延びている。複数の接続配線６１の他端が縦方向に並んでいる。
【００７０】
接続配線６１は横方向において連結配線６０と対応する電極端子群との間に位置している。そして接続配線６１の横方向の長さは、連結配線６０における接続配線６１との連結端（他端）と対応する電極端子群との横方向における離間距離よりも長くなっている。
【００７１】
次に、上記の６本の配線と対応する電極端子との接続を図１に基づいて説明する。
【００７２】
表配線部４３では、第１配線５１が第１番目の電池セル２２０の正極端子２２１と電気的に接続されている。第２配線５２が第２番目の電池セル２２０の負極端子２２２と電気的に接続されている。第３配線５３が第４番目の電池セル２２０の負極端子２２２と電気的に接続されている。第４配線５４が第６番目の電池セル２２０の負極端子２２２と電気的に接続されている。第５配線５５が第８番目の電池セル２２０の負極端子２２２と電気的に接続されている。第６配線５６が第１０番目の電池セル２２０の負極端子２２２と電気的に接続されている。
【００７３】
裏配線部４４では、第１配線５１が第１番目の電池セル２２０の負極端子２２２と電気的に接続されている。第２配線５２が第２番目の電池セル２２０の正極端子２２１と電気的に接続されている。第３配線５３が第４番目の電池セル２２０の正極端子２２１と電気的に接続されている。第４配線５４が第６番目の電池セル２２０の正極端子２２１と電気的に接続されている。第５配線５５が第８番目の電池セル２２０の正極端子２２１と電気的に接続されている。第６配線５６が第１０番目の電池セル２２０の正極端子２２１と電気的に接続されている。
【００７４】
なお、第１電池スタック２１１では、図１に示すように第１番目の電池セル２２０の正極端子２２１と第２番目の電池セル２２０の負極端子２２２とが直列接続されている。したがって、第１配線部４１の表配線部４３の第１配線５１と第２配線５２の一方は対応する電極と電気的に接続されていなくともよい。図２では、第１電池スタック２１１における第１番目の電池セル２２０の正極端子２２１と第２番目の電池セル２２０の負極端子２２２との間に接続される配線を１つだけ示している。後述するナンバーで表せば、Ｎｏ．１の電極とＮｏ．２の電極との間に接続される配線を１つだけ示している。第１配線５１と第２配線５２のいずれを対応する電極に電気的に接続するのかは、第１電池スタック２１１の縦方向における電池セル２２０の並びの乱れなどによって決定することができる。電気的に不要となった第１配線５１と第２配線５２の一方は除去してもよい。
【００７５】
また、第２電池スタック２１２では、図１に示すように第１番目の電池セル２２０の負極端子２２２と第２番目の電池セル２２０の正極端子２２１とが直列接続されている。したがって、第１配線部４１の裏配線部４４の第１配線５１と第２配線５２の一方は対応する電極と電気的に接続されていなくともよい。図２では、第２電池スタック２１２における第１番目の電池セル２２０の正極端子２２１と第２番目の電池セル２２０の負極端子２２２との間に接続される配線を１つだけ示している。後述するナンバーで表せば、Ｎｏ．３７の電極とＮｏ．３８の電極との間に接続される配線を１つだけ示している。第１配線５１と第２配線５２のいずれを対応する電極に電気的に接続するのかは、第２電池スタック２１２の縦方向における電池セル２２０の並びの乱れなどによって決定することができる。電気的に不要となった第１配線５１と第２配線５２の一方は除去してもよい。
【００７６】
上記したように第１電池スタック２１１と第２電池スタック２１２はそれぞれ１０個の電池セル２２０を有し、これらが直列接続されている。このため、この２０個の電池セル２２０の正極端子２２１と負極端子２２２の総数は４０個となっている。図１および図２に示すように、これら４０個の電極端子に、最低電位から最高電位に向かうにしたがって数が大きくなるナンバーを付与している。図に示すナンバー（Ｎｏ）の数が増大するにしたがって、その電極端子の電位（電圧）が高くなる。
【００７７】
第１配線部４１の表配線部４３では、第１配線５１がＮｏ．１の電極端子と電気的に接続されている。第２配線５２がＮｏ．２の電極端子と電気的に接続されている。第３配線５３がＮｏ．６の電極端子と電気的に接続されている。第４配線５４がＮｏ．１０の電極端子と電気的に接続されている。第５配線５５がＮｏ．１４の電極端子と電気的に接続されている。第６配線５６がＮｏ．１８の電極端子と電気的に接続されている。上記したように第１配線部４１の表配線部４３では、第１配線５１若しくは第２配線５２は対応する電極と電気的に接続されていなくともよい。
【００７８】
第１配線部４１の裏配線部４４では、第１配線５１がＮｏ．０の電極端子と電気的に接続されている。第２配線５２がＮｏ．３の電極端子と電気的に接続されている。第３配線５３がＮｏ．７の電極端子と電気的に接続されている。第４配線５４がＮｏ．１１の電極端子と電気的に接続されている。第５配線５５がＮｏ．１５の電極端子と電気的に接続されている。第６配線５６がＮｏ．１９の電極端子と電気的に接続されている。なお図２においては符号の重複によって表記が煩雑と成ることを避けるために、第１配線部４１では一律にして符号４１を付している。第２配線部４２でも同様にして一律に符号４２を付している。
【００７９】
以上に示したように、第１配線５１、第２配線５２、第３配線５３、第４配線５４、第５配線５５、および、第６配線５６は最低電位側の電極端子から最高電位側の電極端子へと向かって順に電気的に接続されている。この結果、第１配線部４１の横方向に並ぶ接続配線６１では図６に示すように電位分布が形成されている。隣り合う配線間の電位差は、１つの電池セル２２０の電圧をＶとすると、１Ｖ若しくは２Ｖになっている。この電位分布は、縦方向に並ぶ連結配線６０でも同様である。なお図６ではＮｏ．０の電位をゼロとしている。
【００８０】
第２配線部４２でも電極端子と同様に電気的に接続されている。なお、上記したように第２配線部４２の裏配線部４４では、第１配線５１若しくは第２配線５２は対応する電極と電気的に接続されていなくともよい。
【００８１】
第２配線部４２では、第１配線部４１とは異なり、第１配線５１、第２配線５２、第３配線５３、第４配線５４、第５配線５５、および、第６配線５６は最高電位側の電極端子から最低電位側の電極端子へと向かって順に電気的に接続されている。そのため、第２配線部４２の横方向に並ぶ接続配線６１では図７に示すように電位分布が形成されている。隣り合う配線間の電位差は、１Ｖ若しくは２Ｖになっている。この電位分布は、縦方向に並ぶ連結配線６０でも同様である。なお図７ではＮｏ．２０の電位をゼロとしている。
【００８２】
次に、監視部１０について説明する。図２に示すようにプリント基板１３は、Ｎｏ．０〜Ｎｏ．３９の電極に対応する基板配線１６を有する。これら基板配線１６は上記した各接続配線６１の一端と電気的に接続される。また基板配線１６は監視ＩＣチップ１５と電気的に接続されている。
【００８３】
なお、上記したように第１配線部４１の表配線部４３の第１配線５１と第２配線５２の一方を除去した場合、残った配線と対応する基板配線１６とを電気的に接続する。第１配線部４１の表配線部４３の第１配線５１と第２配線５２を残した場合、これらと対応する基板配線１６とを電気的に接続する。同様にして第２配線部４２の裏配線部４４の第１配線５１と第２配線５２の一方を除去した場合、残った配線と対応する基板配線１６とを電気的に接続する。第２配線部４２の裏配線部４４の第１配線５１と第２配線５２を残した場合、これらと対応する基板配線１６とを電気的に接続する。
【００８４】
監視部１０は電子素子１４としてツェナーダイオード１７、並列コンデンサ１８、および、抵抗１９を有する。また、図２に示すように配線部４０の配線にはヒューズ４８とインダクタ４９が設けられている。
【００８５】
以下においては、説明を簡便とするために、直列接続された隣接する電池セル２２０間を接続する配線パターン４６と基板配線１６とによって構成される配線を電圧検出配線と示す。この電圧検出配線は電極端子と同数形成されている。
【００８６】
この電圧検出線それぞれにヒューズ４８、インダクタ４９、および、抵抗１９が設けられている。電池セル２２０から監視ＩＣチップ１５へと向かって、ヒューズ４８、インダクタ４９、および、抵抗１９が順に直列接続されている。
【００８７】
ツェナーダイオード１７と並列コンデンサ１８それぞれは、隣り合う２つの電圧検出線の間で並列接続されている。詳しく言えば電圧検出線におけるインダクタ４９と抵抗１９との間に、ツェナーダイオード１７と並列コンデンサ１８が接続されている。ツェナーダイオード１７のアノード電極は低電位側に接続されている。ツェナーダイオード１７のカソード電極は高電位側に接続されている。ツェナーダイオード１７と並列コンデンサ１８はプリント基板１３に搭載されている。
【００８８】
このツェナーダイオード１７は、電池モジュール２００から過電圧が印加された際に、短絡故障（ショート故障）する構造を有している。具体的に言えば、ツェナーダイオード１７は一対のリードにてＰＮ接合型のＩＣチップが直接狭持された構造となっている。これにより、ＩＣチップとリードとがワイヤを介して接続された構成とは異なり、過電圧の印加によってワイヤが破断し、それによってツェナーダイオード１７がオープン故障することが避けられている。
【００８９】
ヒューズ４８は、過電圧にてツェナーダイオード１７が短絡故障した際に、電圧検出配線に流れる大電流によって破断するように構成されている。ヒューズ４８の定格電流は、過電圧にてツェナーダイオード１７が短絡故障した際の電圧検出配線に流れる大電流を基準に設定されている。
【００９０】
また上記の抵抗１９と並列コンデンサ１８とによってＲＣ回路が構成されている。このＲＣ回路とインダクタ４９は、電圧検出の際にノイズを除去するフィルタとしての機能を奏する。またＲＣ回路を構成する抵抗１９は、後述する均等化処理の際に電流制限抵抗としての機能を奏する。
【００９１】
図示しないが、監視ＩＣチップ１５はマイコンと、複数の電池セル２２０それぞれに対応するスイッチと、を有する。このスイッチは２つの電圧検出線間の接続を制御する。そのため、このスイッチの開閉制御により、対応する電圧検出線に電気的に接続された電池セル２２０の充放電が制御される。
【００９２】
各電池セル２２０の性能と特性は製品バラツキのために互いに異なる。そのために充放電を繰り返すと、各電池セル２２０それぞれの充電状態（ＳＯＣ）が異なってくる。ＳＯＣはstate of chargeの略である。このＳＯＣは電池セル２２０の起電圧と相関関係を有する。
【００９３】
電池セル２２０は、性質上、過放電と過充電の発生を抑制しなくてはならない。過放電と過充電は、換言すれば、ＳＯＣの極端な低下と極端な上昇である。各電池セル２２０のＳＯＣがバラツクということは、各電池セル２２０の過放電と過充電に至る度合いについてもバラツクということである。したがって、電池スタック２１０のＳＯＣが過放電と過充電とにならないように精度良く制御するためには、電池スタック２１０を構成する複数の電池セル２２０のＳＯＣを均等化する必要がある。換言すれば、複数の電池セル２２０それぞれのＳＯＣを、これらの総和平均である、電池スタック２１０のＳＯＣと一致させる必要がある。
【００９４】
このような要請があるため、監視ＩＣチップ１５のマイコンは複数の電池セル２２０それぞれの出力電圧（起電圧）を検出して監視する。この出力電圧が電池ＥＣＵ３００に入力される。
【００９５】
電池ＥＣＵ３００はＳＯＣと起電圧の相関関係を記憶している。電池ＥＣＵ３００は入力された出力電圧（起電圧）と記憶している相関関係とに基づいて、複数の電池セル２２０それぞれのＳＯＣを検出する。電池ＥＣＵ３００はこの検出したＳＯＣに基づいて、複数の電池セル２２０のＳＯＣの均等化処理を判断する。そして電池ＥＣＵ３００はその判断に基づく均等化処理の指示を監視ＩＣチップ１５のマイコンに出力する。マイコンは均等化処理の指示に基づいて複数の電池セル２２０それぞれに対応するスイッチを開閉制御する。これにより均等化処理が実施される。
【００９６】
なお、電池ＥＣＵ３００は入力された電圧などに基づいて電池スタック２１０の充電状態も検出する。電池ＥＣＵ３００は検出した電池スタック２１０の充電状態を車載ＥＣＵに出力する。車載ＥＣＵはこの充電状態、車両に搭載された各種センサから入力されるアクセルペダルの踏み込み量やスロットルバルブ開度などの車両情報、そしてイグニッションスイッチなどに基づいて、電池ＥＣＵ３００に指令信号を出力する。電池ＥＣＵ３００はこの指令信号に基づいて電池パック４００と電気負荷５００との接続を制御する。
【００９７】
（作用効果）
次に、電池パック４００の監視装置１００の作用効果を説明する。上記したように表配線部４３と裏配線部４４はフレキシブル基板４５と配線パターン４６を有する。そして、フレキシブル基板４５には両端配線パターン４６ａと偶数配線パターン４６ｂが形成されている。そのため、表配線部４３を介して第１電極端子群２１１ａと第１監視部１１とを電気的に接続する。また裏配線部４４を介して第２電極端子群２１１ｂと第１監視部１１とを電気的に接続する。こうすることで第１電池スタック２１１の全ての電池セル２２０の電圧を検出することができる。説明を省略するが、第２電池スタック２１２の全ての電池セル２２０の電圧も同様にして検出することができる。
【００９８】
表配線部４３と裏配線部４４は同一のフレキシブル基板４５と配線パターン４６を有する。そのため、表配線部４３を裏配線部４４の代わりに用いることができる。裏配線部４４を表配線部４３の代わりに用いることができる。以上に示すように監視装置１００は配線部４０の汎用性の高い構成となっている。
【００９９】
電池スタック２１０は縦方向に複数の電池セル２２０が直列接続されて成るが、その並びは製造バラツキのために多少乱れる虞がある。その結果、第１電極端子群２１１ａと第２電極端子群２１１ｂそれぞれにおける電極端子の並びも多少乱れる虞がある。これに対して、配線パターン４６の形成されるフレキシブル基板４５は可撓性を有する。そのために電極端子の並びに乱れが生じたとしても、フレキシブル基板４５をそれに応じて変形させることで配線パターン４６と電極端子とを電気的に接続することができる。
【０１００】
配線パターン４６を構成する接続配線６１の横方向の長さは、連結配線６０における接続配線６１との連結端と対応する電極端子群との横方向における離間距離よりも長くなっている。
【０１０１】
これによれば、例え製造バラツキなどのために接続配線６１の先端と対応する電極端子とが縦方向にズレたとしても、接続配線６１を変形させることで、接続配線６１を対応する電極端子に電気的に接続することができる。
【０１０２】
上記したように配線パターン４６を構成する接続配線６１の他端はフレキシブル基板４５および被覆樹脂４７それぞれの外に飛び出している。そのためにフレキシブル基板４５の表裏を反転させたとしても、配線パターン４６の端部と電極端子との間にはフレキシブル基板４５や被覆樹脂４７が位置しなくなっている。これにより、接続配線６１と電極端子との機械的および電気的な接続が困難となることが抑制される。
【０１０３】
第１配線部４１では、第１配線５１、第２配線５２、第３配線５３、第４配線５４、第５配線５５、および、第６配線５６が最低電位側の電極端子から最高電位側の電極端子へと向かって順に電気的に接続されている。第２配線部４２では、第１配線５１、第２配線５２、第３配線５３、第４配線５４、第５配線５５、および、第６配線５６が最高電位側の電極端子から最低電位側の電極端子へと向かって順に電気的に接続されている。
【０１０４】
そのため図６に示すように第１配線部４１の横方向に並ぶ接続配線６１では隣り合う配線間の電位差が１Ｖ若しくは２Ｖになっている。図７に示すように第２配線部４２の横方向に並ぶ接続配線６１では隣り合う配線間の電位差が１Ｖ若しくは２Ｖになっている。これにより横方向で隣り合う配線間の電位差の増大が抑制されている。そのため、電池スタック２１０を構成する電池セル２２０の数が増大した結果、配線数が増大して配線の離間距離が短くなったとしても、配線間で容量結合することが抑制される。
【０１０５】
以上、本発明の好ましい実施形態について説明したが、本発明は上記した実施形態になんら制限されることなく、本発明の主旨を逸脱しない範囲において、種々変形して実施することが可能である。
【０１０６】
（第１の変形例）
本実施形態ではフレキシブル基板４５の表面４５ａに配線パターン４６が形成される例を示した。しかしながら図８に示すようにフレキシブル基板４５の表面４５ａと裏面４５ｂそれぞれに配線パターン４６が形成された構成を採用することもできる。なお図８では表面４５ａと裏面４５ｂそれぞれに形成された配線パターン４６が高さ方向においてフレキシブル基板４５の厚さだけ離れて対向している。しかしながらフレキシブル基板４５は非常に薄い。そのために表面４５ａと裏面４５ｂそれぞれに形成された配線パターン４６は高さ方向でなるべく対向しないように配置してもよい。これにより表面４５ａと裏面４５ｂそれぞれに形成された配線パターン４６の間で容量結合することが抑制される。
【０１０７】
（第２の変形例）
本実施形態では配線パターン４６が両端配線パターン４６ａと偶数配線パターン４６ｂを有する例を示した。しかしながら配線パターン４６は両端配線パターン４６ａと奇数配線パターン４６ｃを有する構成を採用することもできる。この奇数配線パターン４６ｃは、両端に位置する２つの電池セル２２０を除く、並び順において奇数番目に位置する電池セル２２０の電極端子と接続される。
【０１０８】
図９に奇数配線パターン４６ｃの一例を示す。表配線部４３では、第１配線５１が第１番目の電池セル２２０の正極端子２２１と電気的に接続されている。第２配線５２が第３番目の電池セル２２０の正極端子２２１と電気的に接続されている。第３配線５３が第５番目の電池セル２２０の正極端子２２１と電気的に接続されている。第４配線５４が第７番目の電池セル２２０の正極端子２２１と電気的に接続されている。第５配線５５が第９番目の電池セル２２０の正極端子２２１と電気的に接続されている。第６配線５６が第１０番目の電池セル２２０の負極端子２２２と電気的に接続されている。
【０１０９】
裏配線部４４では、第１配線５１が第１番目の電池セル２２０の負極端子２２２と電気的に接続されている。第２配線５２が第３番目の電池セル２２０の負極端子２２２と電気的に接続されている。第３配線５３が第５番目の電池セル２２０の負極端子２２２と電気的に接続されている。第４配線５４が第７番目の電池セル２２０の負極端子２２２と電気的に接続されている。第５配線５５が第９番目の電池セル２２０の負極端子２２２と電気的に接続されている。第６配線５６が第１０番目の電池セル２２０の正極端子２２１と電気的に接続されている。
【０１１０】
以上に示したように、両端配線パターン４６ａと奇数配線パターン４６ｃによっても、全ての電池セル２２０の電圧を検出することができる。なお、図９に示す電池スタック２１０では、第９番目の電池セル２２０の正極端子２２１と第１０番目の電池セル２２０の負極端子２２２とが直列接続されている。したがって、第１配線部４１の表配線部４３の第５配線５５と第６配線５６の一方は対応する電極と電気的に接続されていなくともよい。第５配線５５と第６配線５６のいずれを対応する電極に電気的に接続するのかは、電池スタック２１０の縦方向における電池セル２２０の並びの乱れなどによって決定することができる。電気的に不要となった配線は除去してもよい。なお、電池スタック２１０が奇数個の電池セル２２０を有する場合、このように電気的に不要となる配線はなくなる。電気的に不要となる配線は電池スタック２１０が偶数個の電池セル２２０を有する場合に生じる。
【０１１１】
また、図示しないが、配線パターン４６が両端配線パターン４６ａ、偶数配線パターン４６ｂ、および、奇数配線パターン４６ｃを有する構成を採用することもできる。
【０１１２】
（第３の変形例）
本実施形態では、図１に示すように第３電極端子群２１２ａに第２配線部４２の表配線部４３が接続され、第４電極端子群２１２ｂに第２配線部４２の裏配線部４４が接続される例を示した。しかしながら例えば図１０に示すように、第２監視部１２と第２配線部４２の表裏が反転される。そして第３電極端子群２１２ａに第２配線部４２の裏配線部４４が接続され、第４電極端子群２１２ｂに第２配線部４２の表配線部４３が接続される。このような構成を採用することもできる。この場合、第１監視部１１と第１配線部４１とが連結された第１監視装置と、第２監視部１２と第２配線部４２とが連結された第２監視装置とは、まったく同一の構成である。このように監視装置は汎用性の高い構成となっている。
【０１１３】
（第４の変形例）
上記したように、偶数配線パターン４６ｂを有する構成では、同電位となるために、第１配線５１と第２配線５２の一方が不要になり、奇数配線パターン４６ｃを有する構成では、第５配線５５と第６配線５６の一方が不要になる例を示した。この電気的な接続に不要な配線の接続配線６１は、カッターなどで除去してもよい。また、図１１に示すように電気的な接続に不要な接続配線６１をフレキシブル基板４５に溶着固定するための金属製の固定電極７０をフレキシブル基板４５に形成してもよい。この場合、図１２に示すように、電気的な接続に不要な接続配線６１の先端を固定電極７０へと向かって折り曲げて両者を接触させる。この接触状態において、接続配線６１と固定電極７０とを溶着する。これにより電気的な接続に不要な接続配線６１によって電気的に接続されていない箇所が接続されることが抑制される。この不要な接続配線６１の除去は、配線部４０を電池スタック２１０に接続する際に行うことができる。
【０１１４】
（第５の変形例）
図１１および図１２に示すように、接続配線６１の先端がフレキシブル基板４５に載っている構成を採用することもできる。この接続配線６１の先端は被覆樹脂４７によって覆われた構成を採用することもできる。
【０１１５】
（第６の変形例）
配線パターン４６は、図１３に破線で示す、電極端子と電気的に接続するための予備接続配線７１と、予備接続配線７１と監視部１０とを電気的に接続する予備連結配線７２と、を有してもよい。予備接続配線７１は接続配線６１とともに縦方向に並んでいる。図１３では予備接続配線７１は横方向において複数の接続配線６１の間に位置している。
【０１１６】
電池スタック２１０を構成する電池セル２２０の数が増減したり、電池セル２２０の体格が変化したりすると、接続配線６１と対応する電極端子との相対位置が縦方向でずれる。そのために接続配線６１と対応する電極端子とを互いに電気的に接続することができなくなる虞がある。また、電池スタック２１０を構成する電池セル２２０の電気的な接続形態の変更によって、接続配線６１と対応する電極端子とを互いに電気的に接続することができなくなる虞がある。しかしながら、この変形例の配線パターン４６は接続配線６１と縦方向に並ぶ予備接続配線７１を有している。これによれば、接続が困難となった接続配線６１の代わりに、予備接続配線７１によって電池セル２２０の電極端子と監視部１０とを電気的に接続することができる。
【０１１７】
（第７の変形例）
本実施形態では監視装置１００が第１電池スタック２１１に対応する第１監視部１１と、第２電池スタック２１２に対応する第２監視部１２と、を有する例を示した。しかしながら図１４に示すように監視装置１００が第１電池スタック２１１と第２電池スタック２１２それぞれに対応する監視部１０を有してもよい。この監視部１０も、プリント基板１３、電子素子１４、および、監視ＩＣチップ１５を有する。
【０１１８】
（その他の変形例）
本実施形態では電池パック４００をハイブリッド自動車に適用した例を示した。しかしながら電池パック４００は例えばプラグインハイブリッド自動車や電気自動車に適用することもできる。
【０１１９】
本実施形態では電池モジュール２００が第１電池スタック２１１と第２電池スタック２１２を有する例を示した。しかしながら電池モジュール２００が他にも電池スタックを有する構成を採用することができる。例えば電池モジュール２００が４つの電池スタックを有する構成を採用することもできる。若しくは、電池モジュール２００は１つの電池スタックを有する構成を採用することもできる。
【符号の説明】
【０１２０】
１０…監視部、１１…第１監視部、１２…第２監視部、４０…配線部、４１…第１配線部、４２…第２配線部、４３…表配線部、４４…裏配線部、４５…フレキシブル基板、４５ａ…表面、４５ｂ…裏面、４６…配線パターン、４６ａ…両端配線パターン、４６ｂ…偶数配線パターン、４６ｃ…奇数配線パターン、２１０…電池スタック、２１１…第１電池スタック、２１１ａ…第１電極端子群、２１１ｂ…第２電極端子群、２１２…第２電池スタック、２１２ａ…第３電極端子群、２１２ｂ…第４電極端子群、２２０…電池セル、２２０ａ…上端面、２２１…正極端子、２２２…負極端子
【図１】
2018206684.tif 000003
【図２】
2018206684.tif 000004
【図３】
2018206684.tif 000005
【図４】
2018206684.tif 000006
【図５】
2018206684.tif 000007
【図６】
2018206684.tif 000008
【図７】
2018206684.tif 000009
【図８】
2018206684.tif 000010
【図９】
2018206684.tif 000011
【図１０】
2018206684.tif 000012
【図１１】
2018206684.tif 000013
【図１２】
2018206684.tif 000014
【図１３】
2018206684.tif 000015
【図１４】
2018206684.tif 000016